(57)【要約】【課題】  飲料容器を運搬する際に余計な注意をする必要がなく、使用する紙コップを２重または３重に使用しないで済むことができ、携行に便利な飲料容器保持具を提供する。【解決手段】  螺旋状スプリングからなる筒体（１０）と、筒体（１０）の一方の開放端に固定される底体（２０）と、筒体（１０）の他方の開放端を開閉可能な開口部とするように、端部が筒体（１０）に回動可能に取り付けられる蓋体（３０）とからなる。蓋体（３０）は、螺旋状スプリングの終端の略半周部分（１０ａ）と、略半周部分（１０ａ）に隣接する略１周部分（１０ｂ）との間に位置し、螺旋状スプリングの終端近傍点、および／または、略１周部分（１０ｂ）の略中間点に設けられる軸を回動軸（１０ｃ）として、回動可能に取り付けられる。【選択図】  図１
2007045444.tif 000002
【特許請求の範囲】
【請求項１】
螺旋状スプリングからなる筒体と、該筒体の一方の開放端に固定される底体と、該筒体の他方の開放端を開閉可能な開口部とするように、端部が前記筒体に回動可能に取り付けられる蓋体とからなる飲料容器保持具。
【請求項２】
前記蓋体は、つまみ構造を備えて、前記筒体を一方の手で把持した使用者が、他方の手で前記つまみ構造を操作することにより、前記螺旋状スプリングを容易に伸縮でき、前記開口部を塞ぐ位置に前記蓋体を容易に回動でき、かつ、前記開口部を開放する位置に前記蓋体を容易に回動できることを特徴とする請求項１に記載の飲料容器保持具。
【請求項３】
前記つまみ構造は、前記蓋体に着脱可能かつ交換可能であることを特徴とする請求項２に記載の飲料容器保持具。
【請求項４】
前記つまみ構造は、人形模型、動物模型、植物模型、具象模型、または取っ手であることを特徴とする請求項２または３に記載の飲料容器保持具。
【請求項５】
前記蓋体は、螺旋状スプリングの終端の略半周部分と、該略半周部分に隣接する略１周部分との間に位置し、螺旋状スプリングの終端近傍点、および／または、前記略１周部分の略中間点に設けられる軸を回動軸として、回動可能に取り付けられることを特徴とする請求項１から４のいずれかに記載の飲料容器保持具。
【請求項６】
前記開口部を開放する位置に前記蓋体が回動した状態では、収容する飲料容器の上部が、前記筒体から出るように、かつ、飲料容器を、前記底板の上に載せて前記筒体内に収容し、前記開口部を塞ぐ位置に前記蓋体が回動した状態では、前記螺旋状スプリングの復元力で、収容される飲料容器の上部を押さえるように、前記螺旋状スプリングが、寸法付けられ、かつ、復元力を備えることを特徴とする請求項１から５のいずれかに記載の飲料容器保持具。
【発明の詳細な説明】
【技術分野】
【０００１】
本発明は、飲料容器保持具に関し、特に、蓋を一体に備えた飲料容器保持具に関する。
【背景技術】
【０００２】
従来から、ガラス製のコップや、陶磁器製の湯呑みの代替品として、紙製または合成樹脂製のコップを、飲料容器として使用する機会が多かった。これらの飲料容器は、軽量であり、壊れにくい素材で、量産可能であるため安価であり、使い捨てることができ、衛生的である。そのため、例えば、病室を含めた診療施設の来客用、企業などで営業の接客用、展示会場、見学会、説明会または講習会のように多人数の接待用、夏期キャンプやレクリエーションなどにおけるバーベキューのような食事用、運動会の昼食用、登山や海水浴場の休憩所用、高速道路のＰＡまたはＳＡなどで、多用されている。
【０００３】
しかし、これらの飲料容器には取っ手がないものが多く、蓋はほとんど付いていない。このような飲料食器に、熱い飲料や冷たい飲料を入れる場合には、熱さや冷たさを感じないように、紙コップなどを２重または３重に使用することがあり、不経済であった。
【０００４】
このような問題を解決するために、特開平７−１６４９４７号公報には、高さが共通の缶や瓶を収納でき、蓋を備えた飲料物用スタンドが記載されている。しかし、蓋を押さえるための構造が複雑であるという問題や、高さが異なる缶や瓶に対応させるための調整が複雑であるという問題があった。
【０００５】
【特許文献１】特開平７−１６４９４７号公報
【発明の開示】
【発明が解決しようとする課題】
【０００６】
本発明は、飲料容器を運搬する際に余計な注意をする必要がなく、使用する紙コップを２重または３重に使用しないで済むことができ、携行に便利な飲料容器保持具を提供することを目的とする。
【課題を解決するための手段】
【０００７】
本発明の飲料容器保持具は、螺旋状スプリングからなる筒体と、該筒体の一方の開放端に固定される底体と、該筒体の他方の開放端を開閉可能な開口部とするように、端部が前記筒体に回動可能に取り付けられる蓋体とからなる。
【０００８】
さらに、前記蓋体は、つまみ構造を備えて、前記筒体を一方の手で把持した使用者が、他方の手で前記つまみ構造を操作することにより、前記螺旋状スプリングを容易に伸縮でき、前記開口部を塞ぐ位置に前記蓋体を容易に回動でき、かつ、前記開口部を開放する位置に前記蓋体を容易に回動できることが望ましい。
【０００９】
さらに、前記つまみ構造は、前記蓋体に着脱可能かつ交換可能であることが望ましい。
【００１０】
さらに、前記つまみ構造は、人形模型、動物模型、植物模型、具象模型、または取っ手であることが望ましい。
【００１１】
さらに、前記蓋体は、螺旋状スプリングの終端の略半周部分と、該略半周部分に隣接する略１周部分との間に位置し、螺旋状スプリングの終端近傍点、および／または、前記略１周部分の略中間点に設けられる軸を回動軸として、回動可能に取り付けられることが望ましい。
【００１２】
さらに、前記開口部を開放する位置に前記蓋体が回動した状態では、収容する飲料容器の上部が、前記筒体から出るように、かつ、飲料容器を、前記底板の上に載せて前記筒体内に収容し、前記開口部を塞ぐ位置に前記蓋体が回動した状態では、前記螺旋状スプリングの復元力で、収容される飲料容器の上部を押さえるように、前記螺旋状スプリングが、寸法付けられ、かつ、復元力を備えることが望ましい。
【発明の効果】
【００１３】
本発明の飲料容器保持具は、携行に便利で、紙コップなどの飲料容器を運搬する際に余計な注意をする必要がなくなり、使用する紙コップを２重または３重に使用しないで済むことができるという顕著な効果を得ることができた。
【発明を実施するための最良の形態】
【００１４】
本発明の飲料容器保持具の一実施例を、図面を参照して説明する。図１は、本発明の一実施例を示す平面図、正面図および背面図である。
【００１５】
図示した飲料容器保持具は、螺旋状スプリングからなる筒体（１０）と、筒体（１０）の一方の開放端に固定される底体（２０）と、筒体（１０）の他方の開放端を開閉可能な開口部とするように、端部が筒体（１０）に回動可能に取り付けられる蓋体（３０）とからなる。
【００１６】
筒体（１０）は、一般的な螺旋状のスプリングでよい。素材としては、例えば、螺旋状のスプリングであるピアノ線などに合成樹脂で被覆をしたり、あるいは弾性を備えた合成樹脂製とする。
【００１７】
底体（２０）は、例えば、筒体（１０）に固定する構造を備えた合成樹脂製やステンレス製でよい。
【００１８】
図２に、図１に示した飲料容器保持具の蓋体を平面図で示す。蓋体（３０）は、例えば、合成樹脂製やステンレス製の円板でよい。蓋体（３０）には、筒体（１０）に対して回動容易とするように、つまみ構造（３１）を備える。つまみ構造（３１）は、単なる突起でもよいが、図示したような人形模型の他に、動物模型、植物模型、キャラクター玩具などのような具象模型、または取っ手などでもよい。
【００１９】
蓋体（３０）は、図示したように、螺旋状スプリングの終端の略半周部分（１０ａ）と、略半周部分（１０ａ）に隣接する略１周部分（１０ｂ）との間に位置し、螺旋状スプリングの終端近傍点、および／または、略１周部分（１０ｂ）の略中間点に設けられる軸を回動軸（１０ｃ）として、回動可能に取り付けられる。
【００２０】
開口部を開放する位置に蓋体（３０）が回動した図３に示した状態では、収容する飲料容器（１）の上部が、筒体（１０）から出るように、かつ、飲料容器（１）を、底板（２０）の上に載せて筒体（１０）内に収容し、開口部を塞ぐ位置に蓋体（３０）が回動した図１に示した状態では、筒体（１０）の復元力で、収容される飲料容器（１）の上部を押さえるように、筒体（１０）の螺旋状スプリングが、寸法付けられ、かつ、復元力を備える。
【００２１】
本発明の飲料容器保持具を使用する方法について、図面を参照して説明する。
【００２２】
本発明の飲料容器保持具は、自由状態で、図４に示したように、携行に便利な大きさに縮んでいる。使用者が、図３に示したように、本発明の飲料容器保持具に飲料容器（１）を収容すると、飲料容器（１）の上部は、筒体（１０）から出る。
【００２３】
次に、底体（２０）を一方の手で押さえながら、他方の手で、つまみ構造（３１）を引き上げ、筒体（１０）に対して蓋体（３０）を回動させ、開口部を塞ぐと、図１に示すように、筒体（１０）である螺旋状スプリングの復元力で、飲料容器（１）の上部が押さえられて蓋となる。従って、全体を揺らしたり、傾けても、内容物が飛び散ったり、流れ出ることがない。
【００２４】
飲用に際しては、軽く、底板（２０）を一方の手で押さえながら、他方の手で、つまみ構造（３１）を持ち、筒体（１０）に対して蓋体（３０）を回動させ、飲料容器（１）を取り出す。この際、内容物が跳ね出さないように、螺旋状スプリングの復元力は過剰に大きくしない。
【００２５】
また、蓋体（３０）は、裏面側を柔軟な素材とすることにより、開栓した瓶の口を強固に押さえることができるようにしてもよいし、蓋体（３０）の裏面側に同心円状の立体的な構造を備えて、コップや瓶の口などが外れにくくなるようにしてもよい。
【００２６】
図５は、本発明の異なる実施例を示した正面図である。本実施例では、つまみ構造（３１ａ）が、梟のような動物模型である。図６は、本発明の異なる実施例を示した正面図である。本実施例では、つまみ構造（３１ｂ）が、単なる取っ手である。これらのように、つまみ構造としては、人形模型、動物模型、植物模型、具象模型、または取っ手などのいずれでもよいし、自由に選択して交換できるように、公知の技術を使用して着脱可能とする。
【図面の簡単な説明】
【００２７】
【図１】本発明の飲料容器保持具の一実施例を示す平面図、正面図および背面図である。
【図２】図１に示した飲料容器保持具の蓋体を示す平面図である。
【図３】図１に示した飲料容器保持具に、飲料容器を載せた状態を示す正面図である。
【図４】図１に示した飲料容器保持具において、使用する前の状態を示す正面図である。
【図５】本発明の飲料容器保持具の異なる実施例を示す正面図である。
【図６】本発明の飲料容器保持具の異なる実施例を示す正面図である。
【符号の説明】
【００２８】
１  飲料容器
１０  筒体
１０ａ  略半周部分
１０ｂ  略１周部分
１０ｃ  回動軸
２０  底体
３０  蓋体
３１、３１ａ、３１ｂ  つまみ構造
【図１】
2007045444.tif 000003
【図２】
2007045444.tif 000004
【図３】
2007045444.tif 000005
【図４】
2007045444.tif 000006
【図５】
2007045444.tif 000007
【図６】
2007045444.tif 000008